(57)【要約】【課題】リリース（解除）操作の確実性を担保しつつ、不要な外部係止や接触事故を回避し、また、コンパクトに収納できる消防用スタンドパイプを提供すること。【解決手段】  消防用スタンドパイプの消火栓接続口への接続を解除する操作部４が、パイプ本体１の周囲へプレート状に張り出した固定操作部４１と、固定操作部４１の下方にて所定の離間距離を有してパイプ本体の周囲へプレート状に張り出した可動操作部４２とからなり、この可動操作部４２を、固定操作部４１側へ近接するよう上方へスライド移動させることで、可動操作部４２にロッド連結されたロッド４３によって係止爪３１を上方へ牽引し、突出状態の係止爪３１を、接続口の周部外方へ収容された突入状態とすることを特徴とする消防用スタンドパイプ。【選択図】図４
2018057471.tif 000002
【特許請求の範囲】
【請求項１】
少なくとも上方へ伸長した剛体の管体からなるパイプ本体と、
前記パイプ本体の上部に設けられた、ホース又は消防用継手への接続口と、
前記パイプ本体の下部に設けられ、消火栓接続口への係止爪を突出入可能に備えた接続構造と、
前記パイプ本体の下部を除く中央部又は上部付近に設けられ、前記接続構造をロッド牽引する可動操作部を有し、当該可動操作部の移動によって前記接続構造の接続を解除する操作部と、を具備してなる消防用スタンドパイプであって、
前記操作部は、パイプ本体の周囲へプレート状に張り出した固定操作部と、前記固定操作部の下方にて所定の離間距離を有してパイプ本体の周囲へプレート状に張り出した可動操作部とからなり、
前記接続構造は、管状の接続口の周部に沿って収容された複数の係止爪と、各係止爪を接続口の管中心側へ突出させるよう弾性付勢する弾性材とを具備し、
前記可動操作部を、前記固定操作部側へ近接するよう上方へスライド移動させることで、前記可動操作部にロッド連結されたロッドによって係止爪を上方へ牽引し、突出状態の係止爪を、接続口の周部外方へ収容された突入状態とすることを特徴とする、消防用スタンドパイプ。
【請求項２】
前記固定操作部及び前記可動操作部が、共に多角形又は円形のプレート状張出部を有すると共に、それぞれのプレート状張出部が、所定の離間距離で平行に配置されるとともに、
前記可動操作部が、固定操作部と平行を保った離間距離が縮まるよう、前記パイプ本体の管方向に沿ってスライド移動することを特徴とする、請求項１に記載の消防用スタンドパイプ。
【請求項３】
前記固定操作部のプレート状張出部の上面又は前記可動操作部のプレート状張出部の下面の少なくともいずれかに、複数の微細凹凸部からなる微細凹凸加工、又は、面内の一部に所定形状で形成した収容凹部、の少なくともいずれかを施してなる、ことを特徴とする請求項２に記載の消防用スタンドパイプ。
【請求項４】
前記固定操作部及び前記可動操作部の各プレート状張出部は、平面内の互いに交わる軸方向へ長さの異なる第１の代表長さ及び第２の代表長さを有した、扁平円形又は扁平多角形の平面形状からなる、ことを特徴とする請求項２又は請求項３に記載の消防用スタンドパイプ。
【請求項５】
前記パイプ本体の上部に、管方向を縦方向から一側方向へ屈曲させてなり、当該屈曲先に接続口を有したベンド部と、
前記ベンド部の接続口がパイプ本体に対して所定の屈曲方向を向くように調整し得る配向調整手段とを具備してなり、
前記配向調整手段によって前記ベンド部の屈曲方向を変えることで、前記ベンド部の一部が、平面視にて、前記固定操作部及び前記可動操作部の各プレート状張出部の任意の張出し方向に対して突出しない非突出状態とし得る、ことを特徴とする請求項２乃至請求項４のいずれかに記載の消防用スタンドパイプ。
【請求項６】
前記ベンド部は、平面視にて、前記パイプ本体の中心から前記接続口まで所定の屈曲長さで屈曲伸長し、
当該屈曲長さは、前記二種類のいずれかの代表長さの半分以下からなる、ことを特徴とする請求項５に記載の消防用スタンドパイプ。
【発明の詳細な説明】
【技術分野】
【０００１】
本発明は、消防用スタンドパイプに関し、特に、消火栓接続口への接続を解除する操作部を備えた消防用スタンドパイプに関する。
【背景技術】
【０００２】
従来の消防用スタンドパイプにおける操作部は、棒状部が左右に突出した可動レバーと、同じく棒状部が左右に突出した固定レバーとが、パイプに沿って上下に近接して離間形成されており、この可動レバーのスライド移動と連動して、本体下部の接続構造のリリース（係止解除）操作を行うようになっている。このような従来の消防用スタンドパイプとして、例えば、特許文献１に開示されるものがある。
【０００３】
上記操作部を操作する際は、固定レバーを掌で抑えながら可動レバーを手指で上方へ引いてスライド移動させる。このスライド移動に伴って、本体下部の接続構造の係止爪が突出状態から突入状態となり、地下式消火栓との係止が解除される。上記構造では、可動レバーの左右の棒状部を同時に握って左右から同時に可動レバーを上方へ引き上げることで、リリース（係止解除）操作を確実に行うものとしている。
【０００４】
しかしながら、上記構造では可動レバー、固定レバーが左右へ突出する分の格納スペースを要しており、収納時のコンパクト性に欠けていた。また両側方へ突出する棒状部によって、ホースや固定紐などが不意に係止する場合があり、また、運搬者や隣接材料などに接触する場合に突き刺さったりするなど、意図しない外部係止や外部接触事故のおそれがあった。特に迅速かつ正確な動作を要する消防活動において、意図しない外部係止や外部接触事故は回避すべきである。
【先行技術文献】
【特許文献】
【０００５】
【特許文献１】特開２００１−７０４６８号公報
【発明の開示】
【発明が解決しようとする課題】
【０００６】
本発明は、かかる事情に鑑みてなされたものであり、リリース（係止解除）操作の確実性を担保しつつ、不要な外部係止や接触事故を回避し、また、コンパクトに収納できる消防用スタンドパイプを提供することを目的とする。
【課題を解決するための手段】
【０００７】
上記課題を解決すべく、本発明に係る消防自衛用噴霧継手は以下の構成としている。なお以降において構成名称に続けて記載する括弧内の数字列は、図面の実施例の相当構成を参照して理解するための参照用符号であって、これによって構成自体を図示のものに限定したり意義を限定したりするものではない。
先ず、本発明に係る消防用スタンドパイプは、少なくとも上方へ伸長した剛体の管体からなるパイプ本体（１）と、前記パイプ本体（１）の上部（１１）に設けられた、ホース又は消防用継手への接続口（２１）と、前記パイプ本体（１）の下部（１２）に設けられ、消火栓接続口への係止爪（３１）を突出入可能に備えた接続構造（３）と、前記パイプ本体（１）の下部を除く中央部又は上部付近に設けられ、前記接続構造（３）をロッド牽引する可動操作部（４２）を有し、当該可動操作部（４２）の移動によって前記接続構造（３）の接続を解除する操作部（４）と、を具備してなる消防用スタンドパイプであって、前記操作部（４）は、パイプ本体（１）の周囲へプレート状に張り出した固定操作部（４１）と、前記固定操作部（４１）の下方にて所定の離間距離を有してパイプ本体の周囲へプレート状に張り出した可動操作部（４２）とからなり、前記接続構造（３）は、管状の接続口の周部に沿って収容された複数の係止爪（３１）と、各係止爪（３１）を接続口の管中心側へ突出させるよう弾性付勢する弾性材（３２）とを具備し、前記可動操作部（４２）を、前記固定操作部（４１）側へ近接するよう上方へスライド移動させることで、前記可動操作部（４２）にロッド連結されたロッド（４３）によって係止爪（３１）を上方へ牽引し、突出状態の係止爪（３１）を、接続口の周部外方へ収容された突入状態とすることを特徴とする。
【０００８】
上記構成によれば、操作部（４）は、パイプ本体（１）の周囲へプレート状に張り出した固定操作部（４１）と、固定操作部（４１）の下方にて所定の離間距離を有してパイプ本体の周囲へプレート状に張り出した可動操作部（４２）とからなり、接続構造（３）は、管状の接続口の周部に沿って収容された複数の係止爪（３１）と、各係止爪（３１）を接続口の管中心側へ突出させるよう弾性付勢する弾性材（３２）とを具備している。そして、可動操作部（４２）を、固定操作部（４１）側へ近接するよう上方へスライド移動させることで、可動操作部（４２）にロッド連結されたロッド（４３）によって係止爪（３１）を上方へ牽引し、突出状態の係止爪（３１）を、接続口の周部外方へ収容された突入状態とする。このため、消防用スタンドパイプの消火栓接続口への接続を解除するリリース（係止解除）操作の確実性を担保しつつ、不要な外部係止や接触事故を回避することができる。また、操作部（４）は、パイプ本体（１）の周囲へプレート状に張り出した固定操作部（４１）及び可動操作部（４２）とからなるので消防用スタンドパイプをコンパクトに収納することができる。
【０００９】
また、上記又は下記いずれかの消防用スタンドパイプにおいては、前記固定操作部（４１）及び前記可動操作部（４２）が、共に多角形又は円形のプレート状張出部（４４）を有すると共に、それぞれのプレート状張出部（４４）が、所定の離間距離で平行に配置されるとともに、前記可動操作部（４２）が、固定操作部（４１）と平行を保った離間距離が縮まるよう、前記パイプ本体（１）の管方向に沿ってスライド移動することが好ましい。
【００１０】
上記構成によれば、固定操作部（４１）及び可動操作部（４２）が、所定の離間距離で平行に配置された多角形又は円形のプレート状張出部（４４）を有しており、可動操作部（４２）が、固定操作部（４１）と平行を保った離間距離が縮まるようパイプ本体（１）の管方向に沿ってスライド移動する。このため、固定操作部（４１）及び可動操作部（４２）を上下に握るようにして操作することができ容易に操作を行うことができる。また、固定操作部（４１）及び可動操作部（４２）のプレート状張出部（４４）間の距離により、消防用スタンドパイプの消火栓接続口への接続が解除されたがわかるので、接続が解除されていないにも関らず、消防用スタンドパイプを消火栓接続口から取り外そうとする等のご操作を防止することができ、リリース（係止解除）操作の確実性を担保しつつ、不要な外部係止や接触事故を回避することができる。
【００１１】
また、上記いずれかの消防用スタンドパイプにおいては、前記固定操作部（４１）のプレート状張出部（４４）の上面（４４Ａ）又は前記可動操作部（４２）のプレート状張出部（４４）の下面（４４Ｂ）の少なくともいずれかに、複数の微細凹凸部からなる微細凹凸加工（４５）、又は、面内の一部に所定形状で形成した収容凹部（４６）、の少なくともいずれかを施してなることが好ましい。
【００１２】
上記の構成によれば、固定操作部（４１）のプレート状張出部（４４）の上面（４４Ａ）又は可動操作部（４２）のプレート状張出部（４４）の下面（４４Ｂ）の少なくともいずれかに、複数の微細凹凸部からなる微細凹凸加工（４５）、又は、面内の一部に所定形状で形成した収容凹部の少なくともいずれかを施しているので、微細凹凸加工（例えばローレット加工）により静摩擦係数を増加させて、操作する際の手指を滑りにくくし、或いは、収容凹部内によって形成する操作する際の手指の一部を沿わせて収容する箇所を形成して、手指の掛かり位置ないし当たり位置を安定させることができる。このため、リリース（係止解除）操作の確実性を担保しつつ、不要な外部係止や接触事故を回避することができる。
【００１３】
また、上記いずれかの消防用スタンドパイプにおいて、前記固定操作部（４１）及び前記可動操作部（４２）の各プレート状張出部（４４）は、平面内の互いに交わる軸方向へ長さの異なる第１，第２の代表長さ（Ｌ１（短径），Ｌ２（長径））を有した、扁平円形又は扁平多角形の平面形状となっていることが好ましい。
【００１４】
上記構成によれば、各プレート状張出部（４４）は、平面内の互いに交わる軸方向へ長さの異なる第１，第２の代表長さ（Ｌ１，Ｌ２）を有した、扁平円形又は扁平多角形の平面形状からなる。そして、扁平円形又は扁平多角形の平面形状は、平面視にて、直交する二軸方向の一方に長く他方に短い楕円又は長円形状であるか、或いは、直交する二軸方向の一方に長く他法に短い変形多角形を含んでいる。このため、コンパクトに収納することができる。
【００１５】
また、上記いずれかの消防用スタンドパイプにおいては、前記パイプ本体（１）の上部に、管方向を縦方向から一側方向へ屈曲させてなり、当該屈曲先に接続口（２１）を有したベンド部（２）と、前記ベンド部（２）の接続口（２１）がパイプ本体（１）に対して所定の屈曲方向を向くように調整し得る配向調整手段（５）とを具備してなり、前記配向調整手段（５）によって前記ベンド部（２）の屈曲方向を変えることで、前記ベンド部（２）の一部が、平面視にて、前記固定操作部（４１）及び前記可動操作部（４２）の各プレート状張出部（４４）の任意の張出し方向に対して突出しない非突出状態とし得ることが好ましい。
【００１６】
上記構成によれば、パイプ本体（１）の上部に、管方向を縦方向から一側方向へ屈曲させてなり、当該屈曲先に接続口（２１）を有したベンド部（２）と、ベンド部（２）の接続口（２１）がパイプ本体（１）に対して所定の屈曲方向を向くように調整し得る配向調整手段（５）とを具備している。そして、ベンド部（２）の屈曲方向をベンド部（２）の一部が、平面視にて、固定操作部（４１）及び可動操作部（４２）の各プレート状張出部（４４）の任意の張出し方向に対して突出しない非突出状態となるように、配向調整手段（５）によりベンド部（２）の屈曲方向を変えることで、消防用スタンドパイプをコンパクトに収納することができる。
【００１７】
また、上記いずれかの消防用スタンドパイプにおいて、前記ベンド部（２）は、平面視にて、前記パイプ本体（１）の中心から前記接続口（２１）まで所定の屈曲長さ（Ｂ１）で屈曲伸長し、当該屈曲長さ（Ｂ１）は、前記二種類のいずれかの代表長さの半分以下からなる、ことが好ましい。
【００１８】
上記構成によれば、ベンド部（２）は、平面視にて、前記パイプ本体（１）の中心から接続口（２１）まで所定の屈曲長さ（Ｂ１）で屈曲伸長し、当該屈曲長さ（Ｂ１）は、二種類のいずれかの代表長さの半分以下となっている。このため、平面視にて、ベンド部（２）の屈曲伸張した部分が、固定操作部（４１）及び可動操作部（４２）の各プレート状張出部からはみ出さない状態、例えば図１０に示すように平面視横方向に、平面視縦方向の第一代表長さよりも長い第二代表長さを有する場合、配向調整手段によって屈曲方向（接続口の方向）を平面視横方向に向けることで、平面視縦方向にてプレート状張出部の張り出し平面領域内に収まり、かつ、平面視横方向にてプレート状張出部の張り出し平面領域から大きく突出しない状態とすることができ、消防用スタンドパイプをコンパクトに収納することができる。
【発明の効果】
【００１９】
本発明によれば、リリース（係止解除）操作の確実性を担保しつつ、不要な外部係止や接触事故を回避し、また、コンパクトに収納できる消防用スタンドパイプを提供できる。
【図面の簡単な説明】
【００２０】
【図１Ａ】実施例に係る消防用スタンドパイプの側面図（収縮時）である。
【図１Ｂ】実施例に係る消防用スタンドパイプの側面図（伸長時）である。
【図２】実施例に係る消防用スタンドパイプの正面図である。
【図３】実施例に係る消防用スタンドパイプの操作部の拡大図である。
【図４】実施例に係る消防用スタンドパイプの図２のＡ−Ａにおける断面図である。
【図５】実施例に係る消防用スタンドパイプの平面図である。
【図６】実施例に係る消防用スタンドパイプの底面図である。
【図７】実施例に係る消防用スタンドパイプの操作部の拡大図である。
【図８】実施例に係る消防用スタンドパイプの図８のＢ−Ｂにおける垂直方向の断面図である。
【図９】実施例に係る消防用スタンドパイプの図８のＢ−Ｂにおける平行方向の断面図である。
【図１０】実施例に係る消防用スタンドパイプのプレート状張出部の例を示す図である。
【発明を実施するための形態】
【００２１】
以下、本発明の消防用スタンドパイプの実施例について図面を参照して説明する。なお以降において構成名称に続けて記載する数字列は、図面の実施例の相当構成を参照して理解するための参照用符号であって、これによって構成自体を図示のものに限定したり意義を限定したりするものではない。
【００２２】
（実施例）
本実施例に係る消防用スタンドパイプは、中央部に通水路１３を有するパイプ本体１と、パイプ本体１の上部１１に設けられたベンド部２と、パイプ本体１の下部１２に設けられた消火栓接続口との接続構造３と、接続構造３の消火栓接続口との接続を解除する操作部４と、ベンド部２の屈曲方向を調整できる配向調整手段５とを備えている。
【００２３】
図１Ａ，図１Ｂ及び図２に示すように、パイプ本体１は、少なくとも上方へ伸長した剛体の管体からなり、外筒１Ａと、外筒１Ａに一部が収容可能に接続された内筒１Ｂとを備える。内筒１Ｂは、外筒１Ａに対して軸方向に移動可能となっており、図１Ｂに示すように、内筒１Ｂを外筒１Ａから引き出す（伸長させる）ことでパイプ本体１の長さを調整することができる。また、不使用時には、図１Ａに示すように、内筒１Ｂの一部を外筒１Ａ内へ収容する（短縮させる）ことでパイプ本体１の長さを短くして、コンパクトに収納することができるように構成されている。
【００２４】
図１Ａ，図１Ｂ及び図２に示すように、ベンド部２は、パイプ本体１の上部１１に、管方向を縦方向から一側方向へ屈曲させてなり、当該屈曲先に接続口２１を有している。このベンド部２の接続口２１には、ホース又は消防用継手が接続される。また、図１Ａ，図１Ｂ及び図５に示すように、ベンド部２は、平面視にて、パイプ本体１の中心から接続口２１まで所定の屈曲長さＢ１で屈曲伸長している。さらに、ベンド部２には、取手となる把持部２２が設けられている。
【００２５】
図６に示すように、接続構造３は、管状の接続口の周部に沿って収容された複数の係止爪３１と、各係止爪３１を接続口の管中心側へ突出させるよう弾性付勢する弾性材（不図示）とを備えている。消防用スタンドノズルは、接続構造３が備える複数の係止爪３１により図示しない消火栓接続口へ係止接続される。
【００２６】
図１Ａ，図１Ｂ及び図２に示すように、操作部４は、パイプ本体１の下部を除く中央部又は上部付近に設けられ、接続構造３をロッド牽引する可動操作部４２を有している。この可動操作部４２の移動によって接続構造３がロッド牽引され、接続構造３の係止爪３１が接続口の管中心側から外側へと移動して接続構造３の消火栓接続口への接続が解除される。
【００２７】
具体的には、図３に示すように、操作部４は、パイプ本体１の周囲へプレート状に張り出した固定操作部４１と、固定操作部４１の下方にて所定の離間距離を有してパイプ本体１の周囲へプレート状に張り出した可動操作部４２とからなり、可動操作部４２を、固定操作部４１側へ近接するよう上方へスライド移動させることで可動操作部４２にロッド連結されたロッド４３によって係止爪３１を上方へ牽引し、突出状態（各係止爪３１が接続口の管中心側へ突出した状態）の係止爪３１を、接続口の周部外方へ収容された突入状態（各係止爪３１が接続口の周部外方へ収容された状態）となり、接続構造３の消火栓接続口への接続が解除される。
【００２８】
また、操作部４の固定操作部４１及び可動操作部４２は、共に多角形又は円形のプレート状張出部４４を有しており、それぞれのプレート状張出部４４が、所定の離間距離で平行に配置されている。そして、可動操作部４２が、固定操作部４１と平行を保った離間距離が縮まるようにパイプ本体１の管方向に沿ってスライド移動するよう構成されている。
【００２９】
また、図４及び図９に示すように、可動操作部４２のプレート状張出部４４の下面４４Ｂには、複数の微細凹凸部からなる微細凹凸加工４５（図４参照）、又は、面内の一部に所定形状で形成した収容凹部４６（図９参照）の少なくともいずれかの加工が施されている。なお、固定操作部４１のプレート状張出部４４の上面４４Ａにも、複数の微細凹凸部からなる微細凹凸加工４５、又は、面内の一部に所定形状で形成した収容凹部４６の少なくともいずれかの加工を施すようにしてもよい。
【００３０】
なお、図１０に示すように、操作部４の固定操作部４１及び可動操作部４２の各プレート状張出部４４を、平面内の互いに交わる軸方向へ長さの異なる第１，第２の代表長さＬ１（短径），Ｌ２（長径）を有した、扁平円形又は扁平多角形の平面形状で構成するようにしてもよい。例えば、プレート状張出部４４を、平面内の互いに交わる軸方向へ長さの異なる第１，第２の代表長さＬ１，Ｌ２を有した、扁平円形（図１０（ａ）及び図１０（ｂ））の平面形状としてもよく、扁平多角形（図１０（ｃ））の平面形状としてもよい。また、固定操作部４１及び可動操作部４２の各プレート状張出部４４の形状を互いに異なるようにしてもよい（図１０（ｄ））。
【００３１】
なお、図１０（ａ）及び図１０（ｃ）に示すように、ベンド部２の屈曲長さＢ１が、操作部４の固定操作部４１及び可動操作部４２の第２の代表長さＬ２（長径）の半分以下となるようにしてもよい。また、図１０（ａ）及び図１０（ｃ）では、ベンド部２の屈曲長さＢ１が、操作部４の固定操作部４１及び可動操作部４２の第２の代表長さＬ２（長径）の半分以下となるようにしているが、ベンド部２の屈曲長さＢ１が、操作部４の固定操作部４１及び可動操作部４２の第１の代表長さＬ１（短径）の半分以下となるように構成してもよい。
【００３２】
図１Ａ，図１Ｂ及び図２に示すように、配向調整手段５は、ベンド部２をパイプ本体１に回転可能に接続しており、この配向調整手段５により、ベンド部２の接続口２１がパイプ本体１に対して所定又は任意の屈曲方向を向くように調整が可能となっている。この配向調整手段５により、ベンド部２の屈曲方向を変えることで、ベンド部２の一部が、平面視にて、固定操作部４１及び可動操作部４２の各プレート状張出部４４の張出し方向に対して突出しない非突出状態とすることができる。
【００３３】
以上のように、本実施例に係る消防用スタンドパイプは、少なくとも上方へ伸長した剛体の管体からなるパイプ本体１と、パイプ本体１の上部１１に設けられた、ホース又は消防用継手への接続口２１と、パイプ本体１の下部１２に設けられ、消火栓接続口への係止爪３１を突出入可能に備えた接続構造３と、パイプ本体１の下部を除く中央部又は上部付近に設けられ、接続構造３をロッド牽引する可動操作部４２を有し、当該可動操作部４２の移動によって接続構造３の接続を解除する操作部４とを備えている。
【００３４】
操作部４は、パイプ本体１の周囲へプレート状に張り出した固定操作部４１と、固定操作部４１の下方にて所定の離間距離を有してパイプ本体の周囲へプレート状に張り出した可動操作部４２とからなる。接続構造３は、管状の接続口の周部に沿って収容された複数の係止爪３１と、各係止爪３１を接続口の管中心側へ突出させるよう弾性付勢する弾性材３２とを備えている。そして、可動操作部４２を、固定操作部４１側へ近接するよう上方へスライド移動させることで、可動操作部４２にロッド連結されたロッド４３によって係止爪３１を上方へ牽引し、突出状態の係止爪３１を、接続口の周部外方へ収容された突入状態としている。
【００３５】
すなわち、操作部４は、パイプ本体１の周囲へプレート状に張り出した固定操作部４１と、固定操作部４１の下方にて所定の離間距離を有してパイプ本体の周囲へプレート状に張り出した可動操作部４２とからなり、接続構造３は、管状の接続口の周部に沿って収容された複数の係止爪３１と、各係止爪３１を接続口の管中心側へ突出させるよう弾性付勢する弾性材３２とを備えている。そして、可動操作部４２を、固定操作部４１側へ近接するよう上方へスライド移動させることで、可動操作部４２にロッド連結されたロッド４３によって係止爪３１を上方へ牽引し、突出状態の係止爪３１を、接続口の周部外方へ収容された突入状態とする。このため、消防用スタンドパイプの消火栓接続口への接続を解除するリリース（係止解除）操作の確実性を担保しつつ、不要な外部係止や接触事故を回避することができる。また、操作部４は、パイプ本体１の周囲へプレート状に張り出した固定操作部４１及び可動操作部４２とからなるので消防用スタンドパイプをコンパクトに収納することができる。
【００３６】
また、本実施例に係る消防用スタンドパイプは、固定操作部４１及び可動操作部４２が、共に多角形又は円形のプレート状張出部４４を有すると共に、それぞれのプレート状張出部４４が、所定の離間距離で平行に配置されるとともに、可動操作部４２が、固定操作部４１と平行を保った離間距離が縮まるようパイプ本体１の管方向に沿ってスライド移動するように構成されている。
【００３７】
すなわち、固定操作部４１及び可動操作部４２が、所定の離間距離で平行に配置された多角形又は円形のプレート状張出部４４を有しており、可動操作部４２が、固定操作部４１と平行を保った離間距離が縮まるようパイプ本体１の管方向に沿ってスライド移動する。このため、固定操作部４１及び可動操作部４２を上下に握るようにして操作することができ容易に操作を行うことができる。また、固定操作部４１及び可動操作部４２のプレート状張出部４４間の距離により、消防用スタンドパイプの消火栓接続口への接続が解除されたがわかるので、接続が解除されていないにも関らず、消防用スタンドパイプを消火栓接続口から取り外そうとする等のご操作を防止することができ、リリース（係止解除）操作の確実性を担保しつつ、不要な外部係止や接触事故を回避することができる。
【００３８】
また、本実施例に係る消防用スタンドパイプは、固定操作部４１のプレート状張出部４４の上面４４Ａ又は可動操作部４２のプレート状張出部４４の下面４４Ｂの少なくともいずれかに、複数の微細凹凸部からなる微細凹凸加工４５、又は、面内の一部に所定形状で形成した収容凹部４６、の少なくともいずれかの加工を施している。
【００３９】
このため、微細凹凸加工（例えばローレット加工）により静摩擦係数を増加させて、操作する際の手指を滑りにくくし、或いは、収容凹部内によって形成する操作する際の手指の一部を沿わせて収容する箇所を形成して、手指の掛かり位置ないし当たり位置を安定させることができる。このため、リリース（係止解除）操作の確実性を担保しつつ、不要な外部係止や接触事故を回避することができる。
【００４０】
また、図１０に示すように、本実施例に係る消防用スタンドパイプの固定操作部４１及び可動操作部４２の各プレート状張出部４４は、平面内の互いに交わる軸方向へ長さの異なる第１，第２の代表長さＬ１，Ｌ２を有した、扁平円形（図１０（ａ）及び図１０（ｂ））又は扁平多角形（図１０（ｃ）及び図１０（ｃ））の平面形状、となっている。
【００４１】
そして、扁平円形又は扁平多角形の平面形状は、平面視にて、直交する二軸方向の一方に長く他方に短い楕円又は長円形状であるか、或いは、直交する二軸方向の一方に長く他方に短い変形多角形を含んでいる。このため、コンパクトに収納することができる。
【００４２】
また、本実施例に係る消防用スタンドパイプは、パイプ本体１の上部に、管方向を縦方向から一側方向へ屈曲させてなり、当該屈曲先に接続口２１を有したベンド部２と、ベンド部２の接続口２１がパイプ本体１に対して所定の屈曲方向を向くように調整し得る配向調整手段５とを備えている。そして、配向調整手段５によってベンド部２の屈曲方向を変えることで、ベンド部２の一部が、平面視にて、固定操作部４１及び可動操作部４２の各プレート状張出部４４の任意の張出し方向に対して突出しない非突出状態とすることができる。
【００４３】
すなわち、パイプ本体１の上部に、管方向を縦方向から一側方向へ屈曲させてなり、当該屈曲先に接続口２１を有したベンド部２と、ベンド部２の接続口２１がパイプ本体１に対して所定の屈曲方向を向くように調整し得る配向調整手段５とを備えており、ベンド部２の屈曲方向をベンド部２の一部が、平面視にて、固定操作部４１及び可動操作部４２の各プレート状張出部４４の任意の張出し方向に対して突出しない非突出状態となるように、配向調整手段５によりベンド部２の屈曲方向を変えることで、消防用スタンドパイプをコンパクトに収納することができる。
【００４４】
また、本実施例に係る消防用スタンドパイプのベンド部２は、平面視にて、パイプ本体１の中心から接続口２１まで所定の屈曲長さＢ１で屈曲伸長し、当該屈曲長さＢ１は、操作部４の固定操作部４１及び可動操作部４２の各プレート状張出部４４の第１，第２の代表長さＬ１，Ｌ２の半分以下となっている。
【００４５】
このため、平面視にて、ベンド部２の屈曲伸張した部分が、固定操作部４１及び可動操作部４２の各プレート状張出部からはみ出さない状態、例えば図１０に示すように平面視横方向に、平面視縦方向の第一代表長さよりも長い第二代表長さを有する場合、配向調整手段によって屈曲方向（接続口の方向）を平面視横方向に向けることで、平面視縦方向にてプレート状張出部の張り出し平面領域内に収まり、かつ、平面視横方向にてプレート状張出部の張り出し平面領域から大きく突出しない状態とすることができ、消防用スタンドパイプをコンパクトに収納することができる。
【符号の説明】
【００４６】
１  パイプ本体
１Ａ  外筒
１Ｂ  内筒
２  ベンド部
３  接続構造
４  操作部
５  配向調整手段
１１  パイプ本体の上部
１２  パイプ本体の下部
１３  通水路
２１  接続口
２２  把持部
３１  係止爪
４１  固定操作部
４２  可動操作部
４３  ロッド
４４  プレート状張出部
４５  微細凹凸加工
Ｂ１  所定の屈曲長さ
Ｌ１，Ｌ２  第１，第２の代表長さ
【図１Ａ】
2018057471.tif 000003
【図１Ｂ】
2018057471.tif 000004
【図２】
2018057471.tif 000005
【図３】
2018057471.tif 000006
【図４】
2018057471.tif 000007
【図５】
2018057471.tif 000008
【図６】
2018057471.tif 000009
【図７】
2018057471.tif 000010
【図８】
2018057471.tif 000011
【図９】
2018057471.tif 000012
【図１０】
2018057471.tif 000013